(57)【要約】【課題】表示装置の盗難防止を行う。【解決手段】マスタ装置１０を表示装置３０に接続し、マスタ装置１０の暗号コード設定部１２で暗号コードを設定し且つロックスイッチ１４を操作することにより、表示装置３０の記憶部３３に暗号コードが格納されるとともに表示装置３０の表示部３２が表示ロックされる。暗号コード設定部１２で再度暗号コードを設定し且つ解除スイッチ１５を操作することにより、表示装置３０の記憶部３３の暗号コードと再度設定した暗号コードが照合され、両者が合致すると表示部３２が表示ロックを解除される。【選択図】  図４
2004333860.tif 000002
【特許請求の範囲】
【請求項１】
表示信号に応じた表示を行う表示部および記憶部を有する表示装置用のセキュリティ装置であって、
暗号コード設定部およびロック操作部を有するマスタ装置を備え、
該マスタ装置を前記表示装置に接続し、前記マスタ装置の前記暗号コード設定部で暗号コードを設定し且つ前記ロック操作部を操作することにより、前記表示装置の前記記憶部に前記暗号コードが格納されるとともに前記表示装置の前記表示部が表示ロックされるようにしたことを特徴とするセキュリティ装置。
【請求項２】
請求項１に記載のセキュリティ装置において、
前記マスタ装置に解除操作部を設け、
前記マスタ装置を前記表示装置に接続し、前記マスタ装置の前記暗号コード設定部で前記暗号コードを設定し且つ前記解除操作部を操作することにより、前記暗号コード設定部で設定された前記暗号コードと前記表示装置の前記記憶部に格納された前記暗号コードの合致が確認されて前記表示部の表示ロックが解除されるようにしたことを特徴とするセキュリティ装置。
【請求項３】
請求項１に記載のセキュリティ装置において、
前記マスタ装置に使用回数設定部を設け、
使用回数計測部および記憶手段を有するスレーブ装置を備え、
前記マスタ装置を前記スレーブ装置に接続し、前記マスタ装置の前記暗号コード設定部で前記暗号コードを設定し且つ前記使用回数設定部で使用回数を設定することにより、前記スレーブ装置の前記記憶部に前記暗号コードが格納されるとともに前記使用回数計測部に前記使用回数がセットされるようにしたことを特徴とするセキュリティ装置。
【請求項４】
請求項３に記載のセキュリティ装置において、
前記スレーブ装置を表示ロックがかけられた前記表示装置に接続し、前記表示装置の電源をオンする毎に前記使用回数計測部にセットされた前記使用回数が減算され、それが０になると表示ロックがかかるようにしたことを特徴とするセキュリティ装置。
【請求項５】
請求項１に記載のセキュリティ装置において、
前記マスタ装置に使用時間設定部を設け、
使用時間計測部および記憶部を有するスレーブ装置を備え、
前記マスタ装置を前記スレーブ装置に接続し、前記マスタ装置の前記暗号コード設定部で前記暗号コードを設定し且つ前記使用時間設定部で使用時間を設定することにより、前記スレーブ装置の前記記憶部に前記暗号コードが格納されるとともに前記使用時間計測部に前記使用時間がセットされるようにしたことを特徴とするセキュリティ装置。
【請求項６】
請求項５に記載のセキュリティ装置において、
前記スレーブ装置を表示ロックがかけられた前記表示装置に接続し、前記表示装置の電源をオンする毎に前記使用時間計測部にセットされた前記使用時間が減算され、それが０になると表示ロックがかかるようにしたことを特徴とするセキュリティ装置。
【請求項７】
請求項３乃至６のいずれか１つに記載のセキュリティ装置において、
前記マスタ装置と前記スレーブ装置を一体化したことを特徴とするセキュリティ装置。
【発明の詳細な説明】
【０００１】
【発明の属する技術分野】
本発明は、プラズマ表示装置（ＰＤＰ）等の高価な表示装置の盗難防止やその使用回数／使用時間の制限を行うセキュリティ装置に関するものである。
【０００２】
【従来の技術】
セキュリティシステムとして特許文献１に記載のものがある。これは、第１の送受信装置から第２の送受信装置に暗号化データを赤外線により送信し、その第２の送受信装置においてその暗号化データを復元して予め第２の送受信装置に保持されているＩＤと照合し、照合が一致するとその第２の送受信装置の電源がオンとなり、ＣＲＴを電源オンにさせて、そのＣＲＴを動作可能にさせるものである。
【０００３】
【特許文献１】特開２０００−６６７７５号公報
【発明が解決しようとする課題】
ところで、比較的表示面積が大きくかつ精細な画像を表示できるプラズマ表示装置は、イベント会場等に特定の期間だけ貸し出されることが多く、夜間の管理が不十分なときは盗難に遭うことがある。
【０００４】
そこで、このような表示装置については強力なセキュリティが要求されるが、上記した特許文献１に記載のセキュリティシステムでは、表示装置の電源のオン／オフを外部から管理するのみであるので、盗まれた表示装置は簡単に電源のオン／オフができてしまい、盗難の抑止効果は全く発揮されない。
【０００５】
本発明の目的は、表示装置自体にもセキュリティ機能を組み込み、盗難防止効果を大きく高め、また使用回数や使用時間も制限できるようにしたセキュリティ装置を提供することである。
【０００６】
【課題を解決するための手段】
請求項１にかかる発明は、表示信号に応じた表示を行う表示部および記憶部を有する表示装置用のセキュリティ装置であって、暗号コード設定部およびロック操作部を有するマスタ装置を備え、該マスタ装置を前記表示装置に接続し、前記マスタ装置の前記暗号コード設定部で暗号コードを設定し且つ前記ロック操作部を操作することにより、前記表示装置の前記記憶部に前記暗号コードが格納されるとともに前記表示装置の前記表示部が表示ロックされるようにしたことを特徴とするセキュリティ装置とした。
【０００７】
請求項２にかかる発明は、請求項１に記載のセキュリティ装置において、前記マスタ装置に解除操作部を設け、前記マスタ装置を前記表示装置に接続し、前記マスタ装置の前記暗号コード設定部で前記暗号コードを設定し且つ前記解除操作部を操作することにより、前記暗号コード設定部で設定された前記暗号コードと前記表示装置の前記記憶部に格納された前記暗号コードの合致が確認されて前記表示部の表示ロックが解除されるようにしたことを特徴とするセキュリティ装置とした。
【０００８】
請求項３にかかる発明は、請求項１に記載のセキュリティ装置において、
前記マスタ装置に使用回数設定部を設け、使用回数計測部および記憶手段を有するスレーブ装置を備え、前記マスタ装置を前記スレーブ装置に接続し、前記マスタ装置の前記暗号コード設定部で前記暗号コードを設定し且つ前記使用回数設定部で使用回数を設定することにより、前記スレーブ装置の前記記憶部に前記暗号コードが格納されるとともに前記使用回数計測部に前記使用回数がセットされるようにしたことを特徴とするセキュリティ装置とした。
【０００９】
請求項４にかかる発明は、請求項３に記載のセキュリティ装置において、前記スレーブ装置を表示ロックがかけられた前記表示装置に接続し、前記表示装置の電源をオンする毎に前記使用回数計測部にセットされた前記使用回数が減算され、それが０になると表示ロックがかかるようにしたことを特徴とするセキュリティ装置とした。
【００１０】
請求項５にかかる発明は、請求項１に記載のセキュリティ装置において、
前記マスタ装置に使用時間設定部を設け、使用時間計測部および記憶部を有するスレーブ装置を備え、前記マスタ装置を前記スレーブ装置に接続し、前記マスタ装置の前記暗号コード設定部で前記暗号コードを設定し且つ前記使用時間設定部で使用時間を設定することにより、前記スレーブ装置の前記記憶部に前記暗号コードが格納されるとともに前記使用時間計測部に前記使用時間がセットされるようにしたことを特徴とするセキュリティ装置とした。
【００１１】
請求項６にかかる発明は、請求項５に記載のセキュリティ装置において、前記スレーブ装置を表示ロックがかけられた前記表示装置に接続し、前記表示装置の電源をオンする毎に前記使用時間計測部にセットされた前記使用時間が減算され、それが０になると表示ロックがかかるようにしたことを特徴とするセキュリティ装置とした。
【００１２】
請求項７にかかる発明は、請求項３乃至６のいずれか１つに記載のセキュリティ装置において、前記マスタ装置と前記スレーブ装置を一体化したことを特徴とするセキュリティ装置とした。
【００１３】
【発明の実施の形態】
＜セキュリティ装置の構成＞
図１はマスタ装置１０、図２はスレーブ装置２０、図３は表示装置３０のブロック図である。まず、図１において、マスタ装置１０では、全体を制御する制御部１１と、ロータリスイッチやテンキー等からなる暗号コード設定部１２と、テンキーやスライドスイッチ等からなる使用回数設定部１３と、表示装置３０の表示動作をロックするためのロックスイッチ１４と、表示装置３０の表示ロックを解除するための解除スイッチ１５とが設けられている。１６はセキュリティ用コネクタである。
【００１４】
図２において、スレーブ装置２０では、全体を制御する制御部２１と、使用回数のダウンカウント用の使用回数計測部２２と、暗号コードを格納する記憶部２３とが設けられている。２４はセキュリティ用コネクタである。
【００１５】
図３において、表示装置３０では、全体を制御する制御部３１と、入力する表示信号に応じた表示動作を行う表示部３２と、暗号コードを格納する記憶部３３が設けられている。３４はセキュリティ用コネクタ、３５は表示信号入力コネクタである。
【００１６】
＜表示装置のロック／解除の動作＞
表示装置３０の表示動作をロックするときには、図４に示すように、マスタ装置１０のコネクタ１６と表示装置３０のコネクタ３４をケーブルで接続し、マスタ装置１０の暗号コード設定部１２により所定の暗号コードを入力するとともにロックスイッチ１４を操作する。これにより、その暗号コードとロック信号が制御部１１に取り込まれて表示装置３０に伝送され、その表示装置３０の制御部３１によりその暗号コードが記憶部３３に書き込まれるとともにロック信号によって表示部３２に対して表示ロックがかけられる。マスタ装置１０はこの後に取り外して管理人に保管させることができる。
【００１７】
以上の表示ロックの結果、表示装置３０に表示用電源（図示せず）を投入しても、例えば、その表示部３２の全画面が「赤色」で表示されるとともに「表示ロック中」の文字が表示され、表示部３２にコネクタ３５から表示用信号を入力させても、また表示装置の入力モード切換操作も無効化されるので、通常表示は行われない。表示用電源を常時投入しておけば上記ロックの表示が行われるので、これを盗んでも通常使用することが不可能なことが明示され、この表示装置３０に対する盗難の防止効果が発揮できる。なお、その電源を遮断しその旨を記載した紙を貼付しておいても同様な抑止効果が発揮できる。
【００１８】
逆に、表示装置３０の表示ロックを解除するときも、図４に示すように、マスタ装置１０のコネクタ１６と表示装置３０のコネクタ３４をケーブルで接続し、マスタ装置１２の暗号コード設定部１２により前回入力した暗号コードを再度入力するとともに解除スイッチ１４を操作する。これにより、その暗号コードとロック解除信号が制御部１１に取り込まれて表示装置３０に伝送され、その表示装置３０の制御部３１において、記憶部３３に前回記憶された暗号コードと今回入力した暗号コードが照合され、その照合で両暗号コードが合致すれば、ロック解除信号により表示ロックが解除される。このようにして表示ロックが解除された後は、コネクタ３５から表示用の信号を入力させれば、表示部３２において通常の表示が行われる。
【００１９】
＜表示装置の使用回数制限の動作＞
次に、表示装置３０の使用回数を制限するときは、予め図４で説明したようにして、表示装置３０に表示ロックをかけておく。そして、図５（ａ）に示すように、マスタ装置１０のコネクタ１６とスレーブ装置２０のコネクタ２４をケーブルで接続し、マスタ装置１０の暗号コード設定部１２により前記表示ロックをかけたときに入力した暗号コードと同じ暗号コードを再度入力するとともに使用回数入力部１３により使用回数を入力する。これにより、暗号コードと使用回数データが制御部１１に取り込まれてスレーブ装置２０に伝送され、そのスレーブ装置２０の制御部２１により記憶部２３に前記暗号コードが格納されるとともに使用回数計測部２２に使用回数がセットされる。
【００２０】
よって、図５（ｂ）に示すように、そのスレーブ装置２０のコネクタ２４を表示装置３０のコネクタ３４にケーブルで接続してから、表示装置３０の電源をオンすれば、スレーブ装置２０の制御部２１から表示装置３０に対して暗号コードとロック解除信号が送られ、その暗号コードが記憶部３３に前回記憶された暗号コードと照合され、その照合が合致すれば、ロック解除信号により表示ロックが解除され、表示が可能となる。
【００２１】
このとき、スレーブ装置２０の使用回数計測部２２は、表示装置３０の電源をオンする毎に、表示装置３０からスレーブ装置２０に電源オン信号が伝送されて使用回数を１ずつ減少し、残り回数が「０」になると、制御部２１により暗号コードと表示ロック信号を表示装置３０に送って表示ロックが行われる。よって、以後はマスタ装置１０を使用して表示装置３０を解除する以外にその表示装置３０を使用することができなくなる。
【００２２】
＜変形例の説明＞
なお、以上では回数制限を行う例について説明したが、合計使用時間を制限するようにしてもよい。この場合は、マスタ装置１０の使用回数設定部１３を使用時間設定部に変更し、スレーブ装置２０の使用回数計測部２２を使用時間計測部に変更する。そして、マスタ装置１０の使用時間設定部で設定した時間をスレーブ装置２０の使用時間計測部にセットし、表示装置３０の電源がオンしている時間、すなわち表示装置３０から電源オン信号と電源オフ信号とがスレーブ装置２０に伝送される間の時間を合計したものを減算し、残り時間が「０」に達すると、制御部２１により暗号コードと表示ロック信号を表示装置３０に送って表示ロックを行うようにする。
【００２３】
また、以上ではマスタ装置１０とスレーブ装置２０を使用したが、これは両者を一体化させて、これにより表示装置３０の表示ロック、その解除、使用回数制限、使用時間制限等を行うようにすることもできる。
【００２４】
さらに、以上では１個の表示装置３０についての表示ロック、その解除、使用回数制限、使用時間制限等について説明したが、２個以上の表示装置についても同様に行うことができる。この場合は、マスタ装置を１個とし、スレーブ装置を表示装置の数だけ用意しておけば、個々の表示装置に対して１個のマスタ装置によりそれぞれ異なった暗号コードを設定し、個々のスレーブ装置に対して１個のマスタ装置によってそれぞれ暗号コード設定、使用回数設定、使用時間設定等を行えばよい。
【００２５】
【発明の効果】
以上から本発明によれば、マスタ装置により表示装置を表示ロックさせることができ、このとき表示装置は内部ロックされ、解除のためには再度マスタ装置が必要になるので、盗難防止効果が高くなる。また、表示ロックをかけた表示装置に対して、予め決めた所定回数あるいは所定時間だけそのロックを解除させることもでき、使用回数や使用時間を制限することができる。また、本発明では表示装置の数が増加してもそれに対応してスレーブ装置を増加させればよく、マスタ装置は１個を共通に使用できるので、コスト安を実現できる。さらに、マスタ装置とスレーブ装置を一体化させた場合は、その管理が容易となる。
【図面の簡単な説明】
【図１】本発明の実施形態のマスタ装置のブロック図である。
【図２】本発明の実施形態のスレーブ装置のブロック図である。
【図３】本発明の実施形態の表示装置のブロック図である。
【図４】マスタ装置により表示装置の表示ロック／解除を行うときの説明図である。
【図５】（ａ）はマスタ装置によりスレーブ装置に情報流し込みを行うときの説明図、（ｂ）はスレーブ装置により表示装置に対し所定回数だけ表示ロックを解除するときの説明図である。
【符号の説明】
１０：マスタ装置、１１：制御部、１２：暗号コード設定部、１３：使用回数設定部、１４：ロックスイッチ、１５：解除スイッチ、１６：コネクタ
２０：スレーブ装置、２１：制御部、２２：使用回数計測部、２３：記憶部、２４：コネクタ
３０：表示装置、３１：制御部、３２：表示部、３３：記憶部、３４、３５：コネクタ
【図１】
2004333860.tif 000003
【図２】
2004333860.tif 000004
【図３】
2004333860.tif 000005
【図４】
2004333860.tif 000006
【図５】
2004333860.tif 000007